【手続補正書】
【提出日】平成21年4月20日(2009.4.20)
【手続補正１】
【補正対象書類名】特許請求の範囲
【補正対象項目名】全文
【補正方法】変更
【補正の内容】
【特許請求の範囲】
【請求項１】
地盤に埋設されたコンクリート基礎を介して立ち上がるようにして立設される支柱と、非常事態発生時の想定水位を超えるべく支柱の高い位置に設けられた高所避難場所と、地上からの避難者を高所避難場所に導くことのできる昇降手段とを備える津波・洪水等の非常事態からの避難装置であって、前記昇降手段は、搭乗式避難装置と階段との組み合わせでなり、搭乗式避難装置は、高所避難場所側と地盤側との上下間を垂直につなぐように設けられた吊りガイドと、同吊りガイドに沿って昇降自在な搭乗カゴと、高所避難場所側に設けられた巻き取りドラムと、同ドラムに巻き取りと繰り出しが自在に巻き付けられ下端に搭乗カゴを備えたワイヤとでなる津波・洪水等の非常事態からの避難装置。
【請求項２】
請求項１に記載のものにおいて、支柱は３本以上でなるとともにこれら支柱相互は連結梁でつながれ、つながれた連結梁のなす面内中央に形成された開口を通じて搭乗式避難装置の搭乗カゴが昇降し得るようになっている津波・洪水等の避難装置。
【請求項３】
地盤に埋設されたコンクリート基礎を介して立ち上がるようにして立設される支柱と、非常事態発生時の想定水位を超えるべく支柱の高い位置に設けられた高所避難場所と、地上からの避難者を高所避難場所に導くことのできる昇降手段とを備える津波・洪水等の非常事態からの避難装置であって、前記支柱の中途は、上下分離式とされるとともに、この分離された間には、緩衝材が設けられていることを特徴とする津波・洪水等の避難装置。
【請求項４】
地盤に埋設されたコンクリート基礎を介して立ち上がるようにして立設される支柱と、非常事態発生時の想定水位を超えるべく支柱の高い位置に設けられた高所避難場所と、地上からの避難者を高所避難場所に導くことのできる昇降手段とを備える津波・洪水等の非常事態からの避難装置であって、前記支柱は、コンクリート基礎との間に設けられた緩衝材を介して支持されていることを特徴とする津波・洪水等の避難装置。
【請求項５】
地盤に埋設されたコンクリート基礎を介して立ち上がるようにして立設される支柱と、非常事態発生時の想定水位を超えるべく支柱の高い位置に設けられた高所避難場所と、地上からの避難者を高所避難場所に導くことのできる昇降手段とを備える津波・洪水等の非常事態からの避難装置であって、前記支柱は複数本とされるとともにコンクリート基礎も各支柱に対応して独立式とされ、これらコンクリート基礎は地盤内に通された連結梁を介して相互に連結されていることを特徴とする津波・洪水等の避難装置。
【請求項６】
地盤に埋設されたコンクリート基礎を介して立ち上がるようにして立設される支柱と、非常事態発生時の想定水位を超えるべく支柱の高い位置に設けられた高所避難場所と、地上からの避難者を高所避難場所に導くことのできる昇降手段とを備える津波・洪水等の非常事態からの避難装置であって、前記支柱は３本以上の複数本でこれら相互は連結梁で連結されているとともに、階段である昇降手段は、支柱の傾倒を阻止する部材として、上端の踊り場が前記連結梁に固定される一方斜めに下がってその下端部が地盤側あるいは上部の連結梁側に固定されていることを特徴とする津波・洪水等の避難装置。
【請求項７】
請求項６記載のものにおいて、階段は、複数本の支柱が形成する域内に配置されている津波・洪水等の避難装置。
【請求項８】
地盤に埋設されたコンクリート基礎を介して立ち上がるようにして立設される支柱と、非常事態発生時の想定水位を超えるべく支柱の高い位置に設けられた高所避難場所と、地上からの避難者を高所避難場所に導くことのできる昇降手段とを備える津波・洪水等の非常事態からの避難装置であって、前記支柱の基部まわりには、上面が球面の一部の形状をして地盤上に盛り上がり下部が地盤内に埋設された状態のカバーリング基礎が固着されていることを特徴とする津波・洪水等の避難装置。
【請求項９】
請求項８記載のものにおいて、カバーリング基礎内には、支柱側から延びた骨材が埋設されている津波・洪水等の避難装置。
【請求項１０】
地盤に埋設されたコンクリート基礎を介して立ち上がるようにして立設される支柱と、非常事態発生時の想定水位を超えるべく支柱の高い位置に設けられた高所避難場所と、地上からの避難者を高所避難場所に導くことのできる昇降手段とを備える津波・洪水等の非常事態からの避難装置であって、前記支柱の基部まわりは、コンクリート基礎側から立ち上がる複数本のアンカーで取り囲まれるとともに、これらアンカーは互いに連結材で結合されていることを特徴とする津波・洪水等の避難装置。
【請求項１１】
地盤に埋設されたコンクリート基礎を介して立ち上がるようにして立設される支柱と、非常事態発生時の想定水位を超えるべく支柱の高い位置に設けられた高所避難場所と、地上からの避難者を高所避難場所に導くことのできる昇降手段とを備える津波・洪水等の非常事態からの避難装置であって、３本で正三角形の頂点位置に対応して配置された支柱とこれら支柱間をつなぐ連結梁を備えた構造体を基タワーとして構成するとともに、前記３本のうちの２本の支柱と正三角形を形成する他の支柱と連結梁が付加されることで倍増式に構造体が形成されてその上部の高所避難場所のスペースも倍増式に構成されてなる津波・洪水等の避難装置。
【請求項１２】
地盤に埋設されたコンクリート基礎を介して立ち上がるようにして立設される支柱と、非常事態発生時の想定水位を超えるべく支柱の高い位置に設けられた高所避難場所と、地上からの避難者を高所避難場所に導くことのできる昇降手段とを備える津波・洪水等の非常事態からの避難装置であって、前記支柱は、津波襲来側である前側とその後方の後側の前後２本とされ、後側の支柱回りには螺旋状の階段が設けられてその上端が高所避難場所につながりそのつながる部分も高所避難場所となっていることを特徴とする津波・洪水等の避難装置。
【請求項１３】
地盤に埋設されたコンクリート基礎を介して立ち上がるようにして立設される支柱と、非常事態発生時の想定水位を超えるべく支柱の高い位置に設けられた高所避難場所と、地上からの避難者を高所避難場所に導くことのできる昇降手段とを備える津波・洪水等の非常事態からの避難装置であって、前記高所避難場所の周部や支柱の中途高さ部分の外周部複数個所から少なくとも縦向きの線条材を含む張架防護手段を支柱を囲むようにして垂下するとともに、同防護手段の下端を地盤側に張り状態で固定したことを特徴とする津波・洪水等の避難装置。
【請求項１４】
地盤に埋設されたコンクリート基礎を介して立ち上がるようにして立設される支柱と、非常事態発生時の想定水位を超えるべく支柱の高い位置に設けられた高所避難場所と、地上からの避難者を高所避難場所に導くことのできる昇降手段とを備える津波・洪水等の非常事態からの避難装置であって、前記支柱は、角パイプやアングル材などのような角張った部材とされるとともに、同支柱の角稜部分を津波の襲来が想定される向きに対応させたことを特徴とする津波・洪水等の避難装置。
【請求項１５】
地盤に埋設されたコンクリート基礎を介して立ち上がるようにして立設される支柱と、非常事態発生時の想定水位を超えるべく支柱の高い位置に設けられた高所避難場所と、地上からの避難者を高所避難場所に導くことのできる昇降手段とを備える津波・洪水等の非常事態からの避難装置であって、前記支柱はパイプ製であって、その内部には、コンクリート・モルタル・樹脂・コンクリート製品・土砂・岩石などが増強用として入れられていることを特徴とする津波・洪水等の避難装置。
【手続補正２】
【補正対象書類名】明細書
【補正対象項目名】０００４
【補正方法】変更
【補正の内容】
【０００４】  上記課題を解決するため、請求項１記載の発明は、地盤に埋設されたコンクリート基礎を介して立ち上がるようにして立設される支柱と、非常事態発生時の想定水位を超えるべく支柱の高い位置に設けられた高所避難場所と、地上からの避難者を高所避難場所に導くことのできる昇降手段とを備える津波・洪水等の非常事態からの避難装置であって、前記昇降手段は、搭乗式避難装置と階段との組み合わせでなり、搭乗式避難装置は、高所避難場所側と地盤側との上下間を垂直につなぐように設けられた吊りガイドと、同吊りガイドに沿って昇降自在な搭乗カゴと、高所避難場所側に設けられた巻き取りドラムと、同ドラムに巻き取りと繰り出しが自在に巻き付けられ下端に搭乗カゴを備えたワイヤとでなる。
請求項２記載の発明は、請求項１に記載のものにおいて、支柱は３本以上でなるとともにこれら支柱相互は連結梁でつながれ、つながれた連結梁のなす面内中央に形成された開口を通じて搭乗式避難装置の搭乗カゴが昇降し得るようになっている。
請求項３記載の発明は、地盤に埋設されたコンクリート基礎を介して立ち上がるようにして立設される支柱と、非常事態発生時の想定水位を超えるべく支柱の高い位置に設けられた高所避難場所と、地上からの避難者を高所避難場所に導くことのできる昇降手段とを備える津波・洪水等の非常事態からの避難装置であって、前記支柱の中途は、上下分離式とされるとともに、この分離された間には、緩衝材が設けられていることを特徴とする。
請求項４記載の発明は、地盤に埋設されたコンクリート基礎を介して立ち上がるようにして立設される支柱と、非常事態発生時の想定水位を超えるべく支柱の高い位置に設けられた高所避難場所と、地上からの避難者を高所避難場所に導くことのできる昇降手段とを備える津波・洪水等の非常事態からの避難装置であって、前記支柱は、コンクリート基礎との間に設けられた緩衝材を介して支持されていることを特徴とする。
請求項５記載の発明は、地盤に埋設されたコンクリート基礎を介して立ち上がるようにして立設される支柱と、非常事態発生時の想定水位を超えるべく支柱の高い位置に設けられた高所避難場所と、地上からの避難者を高所避難場所に導くことのできる昇降手段とを備える津波・洪水等の非常事態からの避難装置であって、前記支柱は複数本とされるとともにコンクリート基礎も各支柱に対応して独立式とされ、これらコンクリート基礎は地盤内に通された連結梁を介して相互に連結されていることを特徴とする。
請求項６記載の発明は、地盤に埋設されたコンクリート基礎を介して立ち上がるようにして立設される支柱と、非常事態発生時の想定水位を超えるべく支柱の高い位置に設けられた高所避難場所と、地上からの避難者を高所避難場所に導くことのできる昇降手段とを備える津波・洪水等の非常事態からの避難装置であって、前記支柱は３本以上の複数本でこれら相互は連結梁で連結されているとともに、階段である昇降手段は、支柱の傾倒を阻止する部材として、上端の踊り場が前記連結梁に固定される一方斜めに下がってその下端部が地盤側あるいは上部の連結梁側に固定されていることを特徴とする。
請求項７記載の発明は、請求項６記載のものにおいて、階段は、複数本の支柱が形成する域内に配置されている。
請求項８記載の発明は、地盤に埋設されたコンクリート基礎を介して立ち上がるようにして立設される支柱と、非常事態発生時の想定水位を超えるべく支柱の高い位置に設けられた高所避難場所と、地上からの避難者を高所避難場所に導くことのできる昇降手段とを備える津波・洪水等の非常事態からの避難装置であって、前記支柱の基部まわりには、上面が球面の一部の形状をして地盤上に盛り上がり下部が地盤内に埋設された状態のカバーリング基礎が固着されていることを特徴とする。
請求項９記載の発明は、請求項８記載のものにおいて、カバーリング基礎内には、支柱側から延びた骨材が埋設されている。
請求項１０記載の発明は、地盤に埋設されたコンクリート基礎を介して立ち上がるようにして立設される支柱と、非常事態発生時の想定水位を超えるべく支柱の高い位置に設けられた高所避難場所と、地上からの避難者を高所避難場所に導くことのできる昇降手段とを備える津波・洪水等の非常事態からの避難装置であって、前記支柱の基部まわりは、コンクリート基礎側から立ち上がる複数本のアンカーで取り囲まれるとともに、これらアンカーは互いに連結材で結合されていることを特徴とする。
請求項１１記載の発明は、地盤に埋設されたコンクリート基礎を介して立ち上がるようにして立設される支柱と、非常事態発生時の想定水位を超えるべく支柱の高い位置に設けられた高所避難場所と、地上からの避難者を高所避難場所に導くことのできる昇降手段とを備える津波・洪水等の非常事態からの避難装置であって、３本で正三角形の頂点位置に対応して配置された支柱とこれら支柱間をつなぐ連結梁を備えた構造体を基タワーとして構成するとともに、前記３本のうちの２本の支柱と正三角形を形成する他の支柱と連結梁が付加されることで倍増式に構造体が形成されてその上部の高所避難場所のスペースも倍増式に構成されてなる。
請求項１２記載の発明は、地盤に埋設されたコンクリート基礎を介して立ち上がるようにして立設される支柱と、非常事態発生時の想定水位を超えるべく支柱の高い位置に設けられた高所避難場所と、地上からの避難者を高所避難場所に導くことのできる昇降手段とを備える津波・洪水等の非常事態からの避難装置であって、前記支柱は、津波襲来側である前側とその後方の後側の前後２本とされ、後側の支柱回りには螺旋状の階段が設けられてその上端が高所避難場所につながりそのつながる部分も高所避難場所となっていることを特徴とする。
請求項１３記載の発明は、地盤に埋設されたコンクリート基礎を介して立ち上がるようにして立設される支柱と、非常事態発生時の想定水位を超えるべく支柱の高い位置に設けられた高所避難場所と、地上からの避難者を高所避難場所に導くことのできる昇降手段とを備える津波・洪水等の非常事態からの避難装置であって、前記高所避難場所の周部や支柱の中途高さ部分の外周部複数個所から少なくとも縦向きの線条材を含む張架防護手段を支柱を囲むようにして垂下するとともに、同防護手段の下端を地盤側に張り状態で固定したことを特徴とする。
請求項１４記載の発明は、地盤に埋設されたコンクリート基礎を介して立ち上がるようにして立設される支柱と、非常事態発生時の想定水位を超えるべく支柱の高い位置に設けられた高所避難場所と、地上からの避難者を高所避難場所に導くことのできる昇降手段とを備える津波・洪水等の非常事態からの避難装置であって、前記支柱は、角パイプやアングル材などのような角張った部材とされるとともに、同支柱の角稜部分を津波の襲来が想定される向きに対応させたことを特徴とする。
請求項１５に記載の発明は、地盤に埋設されたコンクリート基礎を介して立ち上がるようにして立設される支柱と、非常事態発生時の想定水位を超えるべく支柱の高い位置に設けられた高所避難場所と、地上からの避難者を高所避難場所に導くことのできる昇降手段とを備える津波・洪水等の非常事態からの避難装置であって、前記支柱はパイプ製であって、その内部には、コンクリート・モルタル・樹脂・コンクリート製品・土砂・岩石などが増強用として入れられていることを特徴とする。